(57)【要約】【課題】ガス絶縁電気装置の密閉容器中の絶縁ガスを抜き取ることなく、遮断部の接触子の表面等の容器壁面からは見えない部分まで点検できるガス絶縁電気装置の内部点検装置を提供する。【解決手段】点検対象のガス絶縁電気装置には、逆止弁を備えた内視鏡カメラ挿入口を有する構成とし、内部点検装置は、内視鏡と内視鏡カメラ挿入機構とを備え、内視鏡のカメラ部をガス絶縁電気装置の内視鏡カメラ挿入口に挿入して撮影する構成とし、カメラ部は、信号ケーブルをガス封止構造で挿通する貫通部を備えたカメラ挿入容器と、このカメラ挿入容器に挿入された内視鏡のカメラ部の位置調整するカメラ位置調整機構とからなる内視鏡カメラ挿入機構により、カメラ部を点検対象のガス絶縁電気装置に挿入し、カメラ挿入容器内に絶縁ガスを充填してガス絶縁電気装置と大気中との間を連通させない中間ガス空間とした。【選択図】　　　　図１
2004120938.tif 000002
【特許請求の範囲】
【請求項１】
密閉容器内に主要部が収容され、上記密閉容器内に絶縁ガスが充填されたガス絶縁電気装置において、上記主要部の点検対象部分を撮影する内視鏡のカメラ部が上記密閉容器内に充填された絶縁ガスが漏れることなく点検対象部分の近傍に挿入でき、上記カメラ部が挿入されないとき、充填された絶縁ガスが封止される逆止弁を備えた内視鏡カメラ挿入口を設けたことを特徴とするガス絶縁電気装置。
【請求項２】
密閉容器内に電気装置の主要部が収容され、上記密閉容器内に絶縁ガスが充填されたガス絶縁電気装置の上記密閉容器内の主要部を点検する内部点検装置であって、該内部点検装置は、内視鏡と内視鏡カメラ挿入機構とを備え、上記内視鏡は、点検対象部分を撮影するカメラ部と、上記カメラ部が撮影した映像の映像信号を処理する映像処理部と、上記カメラ部と上記映像処理部との間を接続する信号ケーブルおよび上記カメラ部の撮影方向を離れた位置から操作して撮影方向を変えるリモコンとからなり、点検対象の上記ガス絶縁電気装置には、上記内視鏡のカメラ部が密閉容器内に充填された絶縁ガスが漏れることなく点検対象部分の近傍に挿入でき、上記カメラ部が挿入されないとき、充填された絶縁ガスが封止される逆止弁を備えた内視鏡カメラ挿入口が設けられ、上記内視鏡カメラ挿入機構は、筒状部材の一端側に上記ガス絶縁電気装置の上記内視鏡カメラ挿入口部分に取り付けるフランジが設けられ、他端側に上記信号ケーブルがガス封止構造で挿通する貫通部を備え、ガス絶縁開閉装置との大気との間に中間ガス空間を形成するカメラ挿入容器と、該カメラ挿入容器の内径部に上記カメラ部を上記密閉容器内に挿入して位置調整するカメラ位置調整機構とからなり、上記カメラ挿入容器内に形成された空間に、上記ガス絶縁電気装置内に充填された絶縁ガスと同種の絶縁ガスを充填し、上記ガス絶縁電気装置と大気中との間を連通させない中間ガス空間としたことを特徴とするガス絶縁電気装置の内部点検装置。
【請求項３】
上記カメラ挿入容器内に充填する絶縁ガスの圧力は、ガス絶縁電気装置内の絶縁ガスの圧力よりも低く、大気圧よりも高い圧力としたことを特徴とする請求項２記載のガス絶縁電気装置の内部点検装置。
【請求項４】
上記内視鏡は、カメラ部が外部からの操作により自在に旋回し、撮影方向が任意に選択できる構成としたことを特徴とする請求項２記載のガス絶縁電気装置の内部点検装置。
【請求項５】
上記内視鏡のカメラ部は、外部から操作して密閉容器内の内容物が取り出せる機能を備えていることを特徴とする請求項２〜請求項４のいずれかに記載のガス絶縁電気装置の内部点検装置。
【発明の詳細な説明】
【０００１】
【発明の属する技術分野】
この発明は、変電所等に使用されている電気装置の密閉容器内に主要部が収容され、密閉容器内部に絶縁ガスが充填されたガス絶縁電気装置およびガス絶縁電気装置の内部点検装置に関するものである。
【０００２】
【従来の技術】
変電所等に使用されているガス絶縁電気装置の内、主要部の遮断部が密閉容器内に収容されたタンク形ガス遮断器の一般的な構成は、密閉容器の両端にブッシングが上方に向けて取り付けられ、密閉容器内部にブッシングの下部に接続された遮断部が配置され、遮断部は、固定側主接触子と可動側主接触子とが対向して接離するように配置され、その中心部に固定側アーク接触子と可動側アーク接触子とが対向して接離するように配置され、可動側アーク接触子の先端部には消弧ノズルが取り付けられ、各接触子は操作機構により開閉動作させる構成であり、密閉容器の内部には、絶縁ガスが適正圧力で充填されている。
【０００３】
ガス絶縁電気装置としては、上記のタンク形ガス遮断器以外に、遮断器、断路器等の電気回路を構成する開閉機器をまとめて密閉容器に収容した複合形ガス絶縁開閉装置、導体を密閉容器に収容した状態で電線路を形成するガス絶縁母線、あるいは鉄心、コイルを密閉容器に収容したガス絶縁変圧器等がある。
【０００４】
これらのガス絶縁電気装置の内、タンク形ガス遮断器の場合では、開閉動作時には、主接触子やアーク接触子の開離時にアークが発生し、このアークにより各接触子の表面が消耗するので、予め定めた開閉回数毎に各接触子の消耗状態を確認するために、密閉容器を開放して内部点検が行われて機器の信頼性が確保されている。開閉回数が少ない場合には、所定の期間が経過する毎に内部点検が行われ信頼性が確保されている。
【０００５】
ガス絶縁電気装置の内、例えば、タンク形ガス遮断器の具体的な内部点検作業は、密閉容器内に充填された絶縁ガスを抜き取り、密閉容器に設けられた点検口を開放し、遮断部の固定側主接触子、可動側主接触子、固定側アーク接触子、可動側アーク接触子、消弧ノズルの開閉時のアークによる損傷、消耗の状態を点検し、消耗が進行している部品は新品と取り替え、密閉容器内に異物が残存していないことを確認して元の状態に復旧し、絶縁ガスを再充填する手順で行われている。
【０００６】
タンク形ガス遮断器以外のガス絶縁母線やガス絶縁変圧器の場合は、電気回路を開閉する部分はないが、接続部の接触不良があると、その部分に局部加熱が生じて、周囲の絶縁材料の加熱劣化や、接触不良の程度が極端な場合は導体が部分的に損傷することによる部分断線などが生じることがあるので、定期的な内部点検が実施されている。
【０００７】
ガス絶縁電気装置に充填されている絶縁ガスは、主としてＳＦ６ガスであり、「ＣＯ２の絶対ＧＷＰを基準とした主要温室効果ガスの地球温暖化係数」（非特許文献１参照）に示されたように地球温暖化係数が二酸化炭素１に対して、積分期間２０年で１６．３００、積分期間１００年で２３．９００と非常に大きな値であり、大気中における寿命も３．２００年と長く、大気中に放出すると地球温暖化現象に多大の影響を与えるので大気中への放出は絶対に許されない。したがって、ガス絶縁電気装置の密閉容器を開放する内部点検時には、充填された絶縁ガスが大気中に放出されることなく完全に回収する必要がある。このためにはガス回収装置、点検後に密閉容器内を真空引きする真空ポンプ等のガス処理設備が必要であり、また、ガス回収、内部点検、真空引き、絶縁ガスの充填の手順で行う作業時間は長く、長期間の停止と多額の点検費用が必要となる。
【０００８】
また、密閉容器を開放する内部点検は、点検中の工具類の置き忘れ、塵埃の浸入等の問題もあり、内部点検を行ったために絶縁信頼性が低下する問題もある。したがって、内部点検作業に当たっては、工具の置き忘れ等を防止するための厳密な作業管理と、解放時の塵埃の侵入を防止するための清浄な作業環境の確保が必要である。
【０００９】
したがって、ガス絶縁電気装置の内部点検は、信頼性を確保するためには欠くことのできない重要事項であるが、長期間の停止と多額の点検費用を必要とし、また、開放点検することによる工具の置き忘れや、塵埃の侵入などの信頼性を低下させる問題点もあり、密閉容器を開放する内部点検は、極力少なくすることも重要な課題である。このようなことから内部点検を、密閉容器を開放しないで行うことができれば、開放することによる信頼性が低下することがなくなり、内部点検の費用も低減することができる。
【００１０】
このような状況から考え出された密閉容器を開放しないで内部点検が実施できる構成として、例えば、特許文献１に示されたものがある。（特許文献１参照）この構成は、電力機器の容器壁に予め点検対象部分の映像を撮影するカメラ（例えばＣＣＤカメラ等）を設置し、カメラが撮影した映像により点検対象部分の状況を目視点検することにより、無開放で内部点検を可能にしたものであり、カメラを赤外線カメラにすると点検対象部分の表面温度情報も得られるというものである。
【００１１】
【非特許文献１】
ＩＰＣＣ・１９５５年１２月・第１１回会合　ＷＧＩ報告書（表１−４：「ＣＯ２の絶対ＧＷＰを基準とした主要温室効果ガスの地球温暖化係数」参照）
【特許文献１】
特開平１０−１７４２３１号公報（第３頁、図１参照）
【００１２】
【発明が解決しようとする課題】
以上のようにガス絶縁電気装置の密閉容器を一定期間毎に開放して行う従来の内部点検は、密閉容器内の絶縁ガス回収時の絶縁ガスの大気中への放出防止、点検対象部分を目視点検するために行う部分的な分解作業時の工具の置き忘れの防止、塵埃の侵入防止等に配慮した厳しい作業管理を必要とし、また、充填された絶縁ガスが大気中に放出されないように、ガス回収、密閉容器の開放、部分的な分解、点検、現状復帰、密閉容器内の真空引き、ガス充填等の煩雑な作業を長い作業時間をかけて行うこととなり、内部点検には長期間の停止と、多額の作業費が必要になる問題点があった。
また、非開放で点検できる特許資料１に開示されたガス絶縁の電力機器の構成では、課電状態においても、点検対象部分の表面点検が可能であるが、遮断部等のように、消弧室内の接触子類は点検できないという問題点があった。
【００１３】
この発明は、上記問題点を解消するためになされたものであり、ガス絶縁電気装置の密閉容器中の絶縁ガスを抜き取ることなく、また、充填された絶縁ガスが大気中に放出されることなく、遮断部の消弧室内の接触子の表面等の容器壁面からは見えない部分まで点検できるガス絶縁電気装置およびそのガス絶縁電気装置の内部点検装置を提供することを目的とする。
【００１４】
【課題を解決するための手段】
この発明に係るガス絶縁電気装置は、密閉容器内に収容された主要部の点検対象部分を撮影する内視鏡のカメラ部が密閉容器内に充填された絶縁ガスが漏れることなく点検対象部分の近傍に挿入でき、内視鏡のカメラ部が挿入されないときは充填された絶縁ガスが封止される逆止弁を備えた内視鏡カメラ挿入口を設けた構成としたものである。
【００１５】
また、この発明に係るガス絶縁電気装置の内部点検装置は、内視鏡と内視鏡カメラ挿入機構とを備え、内視鏡は、点検対象部分を撮影するカメラ部と、カメラ部が撮影した映像の映像信号を処理する映像処理部と、カメラ部と映像処理部との間を接続する信号ケーブルおよびカメラ部の撮影方向を離れた位置から操作して撮影方向を変えるリモコンとからなり、点検対象のガス絶縁電気装置には、上記内視鏡のカメラ部が密閉容器内に充填された絶縁ガスが漏れることなく点検対象部分の近傍に挿入でき、上記カメラ部が挿入されないとき、充填された絶縁ガスが封止される逆止弁を備えた内視鏡カメラ挿入口が設けられ、内視鏡カメラ挿入機構は、筒状部材の一端側に上記ガス絶縁電気装置の内視鏡カメラ挿入口部分に取り付けるフランジが設けられ、他端側に信号ケーブルがガス封止構造で挿通する貫通部を備えたカメラ挿入容器と、このカメラ挿入容器の内径部に内視鏡のカメラ部を密閉容器内に挿入して位置調整するカメラ位置調整機構とからなり、カメラ挿入容器内に形成された空間に、ガス絶縁電気装置内に充填された絶縁ガスと同種の絶縁ガスを充填し、ガス絶縁電気装置と大気中との間を連通させない中間ガス空間としたものである。
【００１６】
【発明の実施の形態】
実施の形態１．
図１はガス絶縁電気装置の内、タンク形ガス遮断器に内部点検装置を装着した状態を示す図である。図中Ａ部は内部点検しないときの密閉容器の端部に設けられた内視鏡カメラ挿入口１２の封止状態を示す。タンク形ガス遮断器１０には密閉容器１の密閉容器蓋１１に内視鏡カメラ挿入口１２を設け、この内視鏡カメラ挿入口１２の部分に、内視鏡２０のカメラ部２１をタンク形ガス遮断器１０の点検対象部の近傍に導入する内視鏡カメラ挿入機構３０を装着し、この内視鏡カメラ挿入機構３０により内視鏡２０のカメラ部２１を密閉容器１内に挿入し、内視鏡カメラ挿入機構３０のカメラ挿入容器３１の内部の中間ガス空間３１Ｇに絶縁ガスを充填するガス処理設備４０を取り付けた状態を示すものである。
【００１７】
タンク形ガス遮断器１０は、密閉容器１の両側に電気系統に接続するブッシング９Ａ、９Ｂが取り付けられ、密閉容器１の内部に遮断部２がブッシング９Ａ、９Ｂの下部に接続され、遮断部２は固定側主接触子３と可動側主接触子４が対向して接離する状態に配置され、その中心部に固定側アーク接触子５と可動側アーク接触子６が対向して接離する状態に配置され、可動側アーク接触子の先端に消弧ノズル７が取り付けられ、操作機構８の操作ロッド８ａにより開閉動作させる構成であり、密閉容器１の内部には、適正圧力の絶縁ガスが充填されている。密閉容器１の端部は遮断部２等の内部組立後には密閉容器蓋１１で密閉され、密閉容器蓋１１には、図１のＡ部に示すように、内視鏡２０のカメラ部２１が遮断部２の消弧室内に挿入できる位置に内視鏡カメラ挿入口１２が設けられ、内視鏡カメラ挿入口１２の内側には、内部点検しないときに、密閉容器１内に充填された絶縁ガスが漏れないように逆止弁１２ａを備えており、その外部側に封止キャップ１３が取り付けられている。
【００１８】
内視鏡２０は、点検対象部分を撮影するＣＣＤカメラ等の撮影素子が収納されたカメラ部２１、映像信号処理部２３、カメラ部２１と映像信号処理部２３の間を接続する信号ケーブル２２で構成され、カメラ部２１は、撮影する方向が選択できるように先端が自在に旋回し、撮影方向が外部からリモコン２４により広範囲に選択できるようになっている。
【００１９】
内視鏡カメラ挿入機構３０は、筒状部材の一端が上記ガス絶縁電気装置の内視鏡カメラ挿入口１２部分に取り付けるフランジが設けられ、他端側に信号ケーブルがガス封止構造で貫通する貫通部３３を備えたカメラ挿入容器３１と、カメラ挿入容器３１の内径部に内視鏡２０のカメラ部２１を密閉容器１に挿入し位置調整するカメラ位置調整機構３２と、カメラ位置調整機構操作部３４からなり、内視鏡２０の先端にカメラ部２１を備えた信号ケーブル２２は、カメラ挿入容器３１の貫通部３３をガス封止構造にして貫通させ、カメラ挿入容器３１の内径部に折り返し部２２ａを設けて挿入して密閉容器１のカメラ挿入口１２の部分に取り付け、内視鏡カメラ挿入機構３０のカメラ挿入容器３１内に、ガス絶縁電気装置内の絶縁ガスと同種の絶縁ガスを充填して中間ガス空間３１Ｇを形成した構成としたものである。
【００２０】
カメラ挿入容器３１内部の中間ガス空間３１Ｇのガス処理を行うガス処理設備４０は、カメラ挿入容器３１の配管接続口３１ａに配管４１とバルブ４２を介して真空ポンプ４５を接続し、配管４１にバルブ４３を介してガス回収装置４６を接続し、配管４１にバルブ４４を介して、減圧弁と圧力計が一体に組み合わされたガス圧調整弁４８を介してガスボンベ４７を接続した構成である。
【００２１】
図１の構成における内部点検は、次の手順により行う。
（１）内視鏡２０、内視鏡カメラ挿入機構３０、ガス処理設備４０を準備する。
（２）カメラ挿入容器３１の内径部に、内視鏡２０のカメラ部２１がタンク形ガス遮断器１０の内視鏡カメラ挿入口１２の近くになるようにカメラ部２１を配置し、信号ケーブル２２に折り返し部２２ａを設けてゆとりを持たせて挿通し、信号ケーブル２２の貫通部３３はガス封止構造にして封止する。
（３）信号ケーブル２２が挿入された内視鏡カメラ挿入機構３０をタンク形ガス遮断器１０の密閉容器蓋１１の内視鏡カメラ挿入口１２の部分に装着する。
（４）内視鏡カメラ挿入機構３０のカメラ挿入容器３１に設けられた配管接続口３１ａに配管４１を接続し、この配管４１から、バルブ４２を介して真空ポンプ４５、バルブ４３を介してガス回収装置４６、バルブ４４およびガス圧調整弁４７を介してガスボンベ４８を接続する。
（５）内視鏡カメラ挿入機構３０の内部を真空引きし、タンク形ガス遮断器１０に充填された絶縁ガスと同じ絶縁ガスをガスボンベ４８から所定の圧力でカメラ挿入容器３１内に充填し中間ガス空間３１Ｇを形成する。絶縁ガスはタンク形ガス遮断器１０内に充填された絶縁ガスと同種の絶縁ガスとし、その充填圧力はタンク形ガス遮断器内の充填圧力よりも低く、大気圧よりも高い圧力で充填する。
（６）カメラ部２１をタンク形ガス遮断器１０の点検対象部分の近傍に、カメラ位置調整操作部３４により操作して挿入する。
（７）カメラ部２１の撮影方向を映像処理部２３のモニタを見ながらリモコン２４により点検部分を移動させて撮影し、カメラ部２１が撮影した映像の映像信号は、映像信号処理部２３に伝送し、映像信号処理部２３のモニタに表示した点検対象部の映像により内部点検を行う。
【００２２】
内部点検が終了すると、次の手順でガス処理作業を行う。
（８）カメラ位置調整操作機構３４を操作して、内視鏡２０のカメラ部２１を内視鏡カメラ挿入機構３０内に引き戻す。
（９）内視鏡カメラ挿入機構３０内の中間ガス空間３１Ｇの絶縁ガスをガス回収装置４６により回収し、内視鏡カメラ挿入機構３０の内部に外気を採り入れ大気圧にする。
（１０）タンク形ガス遮断器１０の密閉容器蓋１１から、内視鏡および内視鏡カメラ挿入機構３０を取り外し、取り外した部分に封止キャップ１３を取り付けて封止する。
【００２３】
以上のようにガス絶縁電気装置の内部の点検対象部分の近傍に内視鏡２０のカメラ部２１が挿入できる内視鏡カメラ挿入口１２を設けた構成としたことにより、従来密閉容器１を開放して行っていた内部点検が、密閉容器１内に充填された絶縁ガスを抜くことなく、短時間で低コストに実施できる構成となる。
【００２４】
ガス絶縁電気装置に、内視鏡カメラ挿入口１２を設け、内部点検装置は、内視鏡カメラ挿入口１２の部分に内視鏡カメラ挿入機構３０を取り付けて、内視鏡２０のカメラ部２１を密閉容器１内に挿入できるように装着し、内視鏡カメラ挿入機構３０内の中間ガス空間３１Ｇに絶縁ガスを充填してカメラ部２１をガス絶縁電気装置の点検対象部分に挿入する構成したことにより、タンク形ガス遮断器１０内の絶縁ガスを抜き取ることなく、遮断部２の接触子部分３〜６の内部点検を実施できる構成となる。このようにして内部点検を実施すると、密閉容器１を開放して行う場合に比較して、点検作業時間が大幅に短縮されて機器の停止期間が短縮され、点検作業コストが大幅に低減され、しかも機器の信頼性を低下させることもない。
【００２５】
また、内視鏡挿入機構３１内に絶縁ガスを充填した中間ガス室３１Ｇを形成し、この中間ガス室３１Ｇにガス絶縁電気装置の充填ガスと同一の絶縁ガスを充填し、中間ガス室３１Ｇのガス充填およびガス回収をガス処理設備４０により行う構成としたことにより、地球温暖化現象に対する影響の大きい絶縁ガスが大気中に漏れることがなく、逆に周囲の大気がガス絶縁電気装置の内部に浸入することもなく、点検が実施できる構成となる。
【００２６】
実際の運用に当たっては、定期的に行う内部点検を上記のガス絶縁電気装置の内部点検装置により実施し、内部点検した結果、接触子の消耗が大きい場合あるいは、その他の異常が発見された場合のみに密閉容器１を開放して部品取替の処置を行うことにより、密閉容器１を開放する回数が必要最小限になり、保守点検費用を大幅に低減することができる。
【００２７】
以上はタンク形ガス遮断器の場合について説明したが、遮断器、断路器等を一体にして密閉容器に収容した複合形ガス絶縁開閉装置の場合は、各開閉装置の点検対象部分に内視鏡２０のカメラ部２１が挿入できる位置に内視鏡カメラ挿入口１２を設けることで同様に絶縁ガスを抜き取ることなく内部点検ができる構成となる。
【００２８】
また、開閉部を有しないガス絶縁母線やガス絶縁変圧器においては、内部点検対象部分の導体接続部の近傍に内視鏡２０の内視鏡カメラ２１が挿入できるように内視鏡カメラ挿入口１２を設けておくことにより、タンク形ガス遮断器１０の場合と同様に密閉容器を開放しないで内部点検ができる構成となる。
【００２９】
内視鏡２０のカメラ部２１は、外部からの操作により旋回できる構成とし、撮影方向が任意に選択できる構成としておくと、外部からの操作で広範囲の点検ができる構成となる。
【００３０】
また、内視鏡のカメラ部２１に例えば胃カメラのように、内容物を取り出すことができる機能を持たせると、内部に異物が存在している場合に、密閉容器１を開放しないで、異物を取り出すことができる。
【００３１】
【発明の効果】
この発明に係るガス絶縁電気装置は、密閉容器内に収容されたガス絶縁電気装置の主要部の点検対象部分を撮影する内視鏡のカメラ部が密閉容器内に充填された絶縁ガスが漏れることなく点検対象部分の近傍に挿入でき、内視鏡のカメラ部が挿入されないときは、充填された絶縁ガスが封止される逆止弁を備えた内視鏡カメラ部挿入口を備えた構成としたものであり、密閉容器を開放することなく内部点検が実施できる構成となる。
【００３２】
また、この発明に係るガス絶縁電気装置の内部点検装置は、内視鏡と内視鏡カメラ挿入機構とを備え、内視鏡のカメラ部を内視鏡カメラ挿入機構により、ガス絶縁電気装置のガス封止状態を維持して挿入し、点検対象部分を撮影する構成であり、筒状部材の一端側にガス絶縁電気装置の内視鏡カメラ挿入口部分に取り付けるフランジが設けられ、他端側に信号ケーブルがガス封止構造で挿通する貫通部を備えたカメラ挿入容器と、このカメラ挿入容器の内径部に内視鏡のカメラ部を密閉容器内に挿入して位置調整するカメラ位置調整機構とからなる内視鏡カメラ挿入機構により、内視鏡のカメラ部を点検対象のガス絶縁電気装置に挿入し、内視鏡カメラ挿入機構のカメラ挿入容器内に形成された空間に、絶縁ガスを充填し、ガス絶縁電気装置と大気中との間を連通させない中間ガス空間とした構成としたので、内部点検が密閉容器を開放することなく実施でき、密閉容器を開放して行う場合に比較して、点検作業時間が大幅に短縮されて機器の停止期間が短くなり、点検作業コストも大幅に低減され、しかも機器の信頼性を低下させることもない内部点検装置となる。
【図面の簡単な説明】
【図１】実施の形態１のタンク形ガス遮断器に内部点検装置を装着した状態を示す図である。
【符号の説明】
１　密閉容器、２　遮断部、３　固定側主接触子、４　可動側主接触子、
５　固定側アーク接触子、６　可動側アーク接触子、７　消弧ノズル、
８　操作機構、９Ａ，９Ｂ　ブッシング、１０　タンク形ガス遮断器、
１１　密閉容器蓋、１２　内視鏡カメラ挿入口、１３　封止キャップ、
２０　内視鏡、２１　カメラ部、２２　信号ケーブル、２３　映像処理部、
２４　リモコン、３０　内視鏡カメラ挿入機構、３１　カメラ挿入容器、
３１Ｇ　中間ガス空間、３２　カメラ位置調整機構、
３３　貫通部、３４　カメラ位置調整機構操作部、４０　ガス処理設備、
４１　配管、４２，４３，４４　バルブ、４５　真空ポンプ、
４６　ガス回収装置、４７　ガス圧調整弁、４８　ガスボンベ。
【図１】
2004120938.tif 000003